(57)【要約】【課題】印刷物を読み取ることで得られる座標値が、複数の印刷物において同値となるときでも、座標値によりそれらの印刷物を区別すること。【解決手段】携帯入力装置５は、複数の印刷物２〜４に共通に印刷される所定の座標パターン３２を読み取って座標値を生成する。データベース６６には、複数の印刷物２〜４の座標値８２と関連データ８１とが対応付けられている。絞込手段７１は、各印刷物２〜４の所定のマーク３６と重なる座標パターン３２から携帯入力装置５が生成する座標値を用いて、データベース６６の抽出範囲をそのマーク３２の印刷物に絞り込む。抽出手段７２は、印刷物２〜４の可読情報と重なる座標パターン３２から携帯入力装置５が生成する座標値を用いて、その座標値に対応する関連データ８１を抽出する。これにより、携帯入力装置５は、データベース６６の絞り込まれた範囲内において座標値に対応する関連データ８１を抽出する。【選択図】図７
2008123284.tif 000002
【特許請求の範囲】
【請求項１】
複数の印刷物に印刷される所定の座標パターンを読み取り、読み取った座標パターンに対応する座標値を生成する携帯入力装置と、
上記携帯入力装置が読み取り可能な複数の上記座標パターンが、可読情報および所定のマークと重ねて印刷される複数の印刷物と、
上記複数の印刷物の座標値と関連データとが、座標値により１つの関連データを特定できるように印刷物毎に分けて対応付けられているデータベース、あるいは、その一部の対応付けデータを有するデータベースと、
上記携帯入力装置が上記所定のマークと重なる上記座標パターンを読み取ることで生成する座標値を用いて、上記データベースにおける抽出範囲を、その所定のマークが読み取られた印刷物に絞り込む絞込手段と、
上記携帯入力装置が上記可読情報と重なる上記座標パターンを読み取ることで生成する座標値を用いて、その座標値に対応する上記関連データを抽出する抽出手段と、を有し、
上記データベースの上記絞り込まれた範囲内において上記座標値に対応する上記関連データを抽出することを特徴とする印刷物関連データ抽出システム。
【請求項２】
前記抽出手段は、
前記携帯入力装置が前記可読情報と重なる前記座標パターンを読み取ることで生成する座標値を用いて、前記データベースの中のその座標値に対応する前記関連データを特定し、さらに、
前記絞込手段により絞り込まれた範囲内において特定した前記関連データを抽出すること、
を特徴とする請求項１記載の印刷物関連データ抽出システム。
【請求項３】
前記抽出手段は、前記絞込手段により絞り込まれた範囲内から、前記特定した関連データを抽出できない場合には、前記関連データの代わりに、関連データを抽出できないことを通知する所定の出力データを生成することを特徴とする請求項１または２記載の印刷物関連データ抽出システム。
【請求項４】
前記複数の印刷物は、施設で提供されるサービスの優待に関する可読情報が印刷されたものであり、
前記データベースは、前記関連データとして、上記サービスの優待内容を出力するためのデータを記憶し、
上記施設に設置されたコンピュータ装置において、前記抽出手段により抽出された前記関連データの上記優待内容を出力すること、
を特徴とする請求項１から３の中のいずれか１項記載の印刷物関連データ抽出システム。
【請求項５】
前記可読情報および前記所定のマークは、前記座標パターンが印刷された前記印刷物上の異なる領域に印刷されていることを特徴とする請求項１から４の中のいずれか１項記載の印刷物関連データ抽出システム。
【請求項６】
前記複数の印刷物は、少なくともその一部の印刷物において、それらの前記座標パターンから得られる座標値の範囲が重なっているものであることを特徴とする請求項１から５の中のいずれか１項記載の印刷物関連データ抽出システム。
【請求項７】
前記データベースは、前記関連データを、前記複数の印刷物に掲載される可読情報毎のレコードにおいて記憶することを特徴とする請求項１から６の中のいずれか１項記載の印刷物関連データ抽出システム。
【請求項８】
少なくとも前記絞込手段および前記抽出手段は、前記携帯入力装置に実現され、
前記携帯入力装置は、前記生成した座標値あるいは前記抽出手段により抽出された関連データを出力する出力手段を有すること、
を特徴とする請求項１から３の中のいずれか１項記載の印刷物関連データ抽出システム。
【請求項９】
前記携帯入力装置は、前記表示手段に表示するデータを削除する削除手段を有することを特徴とする請求項８記載の印刷物関連データ抽出システム。
【請求項１０】
携帯入力装置が読み取り可能な複数の座標パターンが印刷される複数の印刷物を、上記携帯入力装置により読み取る印刷物関連データ抽出方法であって、
上記携帯入力装置が上記座標パターンと重ねて印刷される所定のマークを読み取ることで生成する座標値を用いて、上記複数の印刷物の座標値と関連データとが、座標値により１つの関連データを特定できるように印刷物毎に分けて対応付けられているデータベースにおける抽出範囲を、上記所定のマークが読み取られた印刷物に絞り込むステップと、
上記携帯入力装置が上記座標パターンと重ねて印刷される可読情報を読み取ることで生成する座標値を用いて、その座標値に対応する上記関連データを抽出するステップと、を有し、
上記データベースの上記絞り込まれた範囲内において上記座標値に対応する上記関連データを抽出することを特徴とする印刷物関連データ抽出方法。
【発明の詳細な説明】
【技術分野】
【０００１】
本発明は、印刷物関連データ抽出システムおよび印刷物関連データ抽出方法に関する。
【背景技術】
【０００２】
特許文献１は、電子ペン用帳票、データ収集システムなどを開示する。電子ペンは、電子ペン用帳票に印刷されるドットパターンを読み取る。また、電子ペン用帳票には、電子ペンにより読み取り不能な状態で文字及び／又は図柄が重ねて印刷される。データ収集システムは、電子ペンが読み取ったドットパターンの位置座標及び座標情報に基づいて、利用者情報を特定する。
【０００３】
特許文献２は、コンテンツ提供システムなどを開示する。印刷物には、そのページ情報及び位置情報に対応付けられたドットパターンが形成されている。ユーザが電子ペンでコンテンツを指定すると、そのコンテンツに対応するコンテンツＩＤが特定される。コンテンツ提供サーバは、ユーザが指定したコンテンツのデータをデータベースから取得し、ユーザの端末へ送信する。
【０００４】
【特許文献１】特開２００５−７７９１号公報（要約、特許請求の範囲、発明の詳細な説明など）
【特許文献２】特開２００４−２１８９９号公報（要約、発明の詳細な説明など）
【発明の開示】
【発明が解決しようとする課題】
【０００５】
電子ペンは、特許文献１や特許文献２に開示されるように、電子ペン用帳票や印刷物などに印刷されるドットパターンを読み取り、読み取ったドットパターンに対応する座標値を生成する。この座標値に所定のデータを対応付けることで、電子ペンを利用して、そのデータを取得することが可能となる。また、ドットパターンには、ユーザが読む記事、写真などの可読情報を重ねて印刷することができる。電子ペンを利用して、可読情報に関連するデータをユーザへ提供することができる。
【０００６】
しかしながら、電子ペンが読み取ることができるドットパターンの数は、有限である。有限数のドットパターンから得られる座標値の個数も有限である。したがって、複数の印刷物（複数の電子ペン用帳票）の数が増えてドットパターンが不足し、その結果として、その一部の複数の印刷物（複数の電子ペン用帳票）に対して同じドットパターンを付与してしまった場合、電子ペンが生成する座標値により、１つのデータを特定することができなくなる。
【０００７】
また、ドットパターンが印刷される複数の印刷物（複数の電子ペン用帳票）が、特許文献１のように特定の目的のために所定の管理の下で配布される場合であれば、その複数の印刷物に対して互いに重ならないようにドットパターンを付与することが可能である。複数の印刷物に互いに重ならないようにドットパターンが付与されていれば、電子ペンが生成する座標値により、その複数の帳票の中から電子ペンにより読み取られた帳票を特定するとともに、読み取られた位置を特定することができる。そして、電子ペンが生成する座標値を用いて１つのデータを特定することが可能となる。しかしながら、ドットパターンが印刷される複数の印刷物が、たとえば広告記事やバーゲンのチラシなどのように発行元が異なるなどの理由により一元的に管理されていない場合、その一部の複数の印刷物に対して同じドットパターンを付与されてしまう可能性が高く、そのような場合には、電子ペンが生成する座標値により、１つのデータを特定することができなくなる。
【０００８】
すなわち、電子ペンは、ある１つの印刷物のドットパターンによる座標値の範囲と、他の１つの印刷物のドットパターンによる座標値の範囲とが重なっている場合において、電子ペンがその重なり範囲の座標値を生成したとき、当該座標値によりこれらの印刷物を区別する座標値を生成することができない。つまり、電子ペンが生成する座標値により、１つのデータを特定することができなくなる。
【０００９】
このように電子ペンの読取対象となる複数の印刷物に対する座標値（ドットパターン）の付与範囲が管理されていない場合、電子ペンの読取位置が一意に特定されるとは限らない。つまり、電子ペンは、その読取対象となる複数の印刷物の全体が管理されていない場合、その複数の印刷物の中の読取位置を一意に特定するために利用することができない。
【００１０】
本発明は、電子ペンなどの携帯入力装置により印刷物を読み取ることで得られる座標値が、複数の印刷物において同じ値となる場合であっても、携帯入力装置が生成する座標値によりそれらの印刷物を区別することができる印刷物関連データ抽出システムおよび印刷物関連データ抽出方法を得ることを目的とする。
【課題を解決するための手段】
【００１１】
本発明に係る印刷物関連データ抽出システムは、複数の印刷物に印刷される所定の座標パターンを読み取り、読み取った座標パターンに対応する座標値を生成する携帯入力装置と、携帯入力装置が読み取り可能な複数の座標パターンが、可読情報および所定のマークと重ねて印刷される複数の印刷物と、複数の印刷物の座標値と関連データとが、座標値により１つの関連データを特定できるように印刷物毎に分けて対応付けられているデータベース、あるいは、その一部の対応付けデータを有するデータベースと、携帯入力装置が所定のマークと重なる座標パターンを読み取ることで生成する座標値を用いて、データベースにおける抽出範囲を、その所定のマークが読み取られた印刷物に絞り込む絞込手段と、携帯入力装置が可読情報と重なる座標パターンを読み取ることで生成する座標値を用いて、その座標値に対応する関連データを抽出する抽出手段と、を有し、データベースの絞り込まれた範囲内において座標値に対応する関連データを抽出するものである。
【００１２】
本発明に係る印刷物関連データ抽出システムは、上述した発明の構成に加えて、以下の特徴を有するものである。すなわち、抽出手段は、携帯入力装置が可読情報と重なる座標パターンを読み取ることで生成する座標値を用いて、データベースの中のその座標値に対応する関連データを特定し、さらに、絞込手段により絞り込まれた範囲内において特定した関連データを抽出する。
【００１３】
本発明に係る印刷物関連データ抽出システムは、上述した発明の各構成に加えて、以下の特徴を有するものである。すなわち、抽出手段は、絞込手段により絞り込まれた範囲内から、特定した関連データを抽出できない場合には、関連データの代わりに、関連データを抽出できないことを通知する所定の出力データを生成する。
【００１４】
本発明に係る印刷物関連データ抽出システムは、上述した発明の各構成に加えて、以下の特徴を有するものである。すなわち、複数の印刷物は、施設で提供されるサービスの優待に関する可読情報が印刷されたものである。データベースは、関連データとして、サービスの優待内容を出力するためのデータを記憶する。また、その施設に設置されたコンピュータ装置において、抽出手段により抽出された関連データの優待内容を出力する。
【００１５】
本発明に係る印刷物関連データ抽出システムは、上述した発明の各構成に加えて、以下の特徴を有するものである。すなわち、可読情報および所定のマークは、座標パターンが印刷された印刷物上の異なる領域に印刷されているものである。
【００１６】
本発明に係る印刷物関連データ抽出システムは、上述した発明の各構成に加えて、以下の特徴を有するものである。すなわち、複数の印刷物は、少なくともその一部の印刷物において、それらの座標パターンから得られる座標値の範囲が重なっている。
【００１７】
本発明に係る印刷物関連データ抽出システムは、上述した発明の各構成に加えて、以下の特徴を有するものである。すなわち、データベースは、関連データを、複数の印刷物に掲載される可読情報毎のレコードにおいて記憶する。
【００１８】
本発明に係る印刷物関連データ抽出システムは、上述した発明の各構成に加えて、以下の特徴を有するものである。すなわち、少なくとも絞込手段および抽出手段は、携帯入力装置に実現される。携帯入力装置は、生成した座標値あるいは抽出手段により抽出された関連データを出力する出力手段を有する。
【００１９】
本発明に係る印刷物関連データ抽出システムは、上述した発明の各構成に加えて、以下の特徴を有するものである。すなわち、携帯入力装置は、表示手段に表示するデータを削除する削除手段を有する。
【００２０】
本発明に係る印刷物関連データ抽出方法は、携帯入力装置が読み取り可能な複数の座標パターンが印刷される複数の印刷物を、携帯入力装置により読み取るものである。そして、この印刷物関連データ抽出方法は、携帯入力装置が座標パターンと重ねて印刷される所定のマークを読み取ることで生成する座標値を用いて、複数の印刷物の座標値と関連データとが、座標値により１つの関連データを特定できるように印刷物毎に分けて対応付けられているデータベースにおける抽出範囲を、所定のマークが読み取られた印刷物に絞り込むステップと、携帯入力装置が座標パターンと重ねて印刷される可読情報を読み取ることで生成する座標値を用いて、その座標値に対応する関連データを抽出するステップと、を有し、データベースの絞り込まれた範囲内において座標値に対応する関連データを抽出する。
【発明の効果】
【００２１】
本発明では、座標パターンの座標値の範囲が複数の印刷物において重なっている場合であっても、携帯入力装置が生成する座標値によりそれらの印刷物を区別することができる。
【発明を実施するための最良の形態】
【００２２】
以下、本発明の実施の形態に係る印刷物関連データ抽出システムおよび印刷物関連データ抽出方法を、図面に基づいて説明する。印刷物関連データ抽出システムは、優待割引などのためのクーポンが印刷される観光ガイドチラシを電子ペンで読み取り、その電子ペンを持参するユーザが観光ガイドチラシに掲載される観光地や店舗などにおいて優待割引などを受けるための電子優待システムを例として説明する。この例の場合、観光ガイドチラシが印刷物であり、印刷物の関連データは、優待割引などのためのクーポンデータである。印刷物関連データ抽出方法は、電子優待システムの動作の一部として説明する。
【００２３】
図１は、本発明の実施の形態に係る印刷物関連データ抽出システムとしての、電子優待システム１の構成図である。電子優待システム１は、観光地や店舗などを紹介する記事であって、ユーザが読み取り可能な記事（可読情報）が印刷される複数の印刷物としての複数枚の観光ガイドチラシ２，３，４と、観光ガイドチラシ２，３，４の紙面に印刷される所定の座標パターン３２を読み取る携帯入力装置としての電子ペン５と、観光ガイドチラシ２，３，４に掲載される観光地や店舗に設置され、ＵＳＢケーブル６により電子ペン５が接続可能な店舗コンピュータ装置７と、を有する。
【００２４】
図２は、電子ペン５に内蔵される電子回路などを示すブロック図である。電子ペン５は、図１に示すように、ボールペンやシャープペンシルなどと同様なペン形状のハウジング１１を有する。このペン形状のハウジング１１内に、図２の電子回路が内蔵される。電子ペン５は、たとえば特表２００５−５１０７９１号に開示される電子ペン５、あるいはそれと同等の、書込位置の座標値を得る機能を有するものである。
【００２５】
図３は、図２の電子ペン５により書き込みがなされる観光ガイドチラシ２，３，４の紙面の部分拡大図である。観光ガイドチラシ２，３，４の紙面は、赤外線を反射する。紙面上には、赤外線を吸収するインクにより多数のドット３１が印刷される。電子ペン５は、６×６個のドット３１を１つの座標パターン３２として、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ１４で読み取る。
【００２６】
赤外線を吸収するインクにより紙面に印刷される各ドット３１は、図３に示すように、所定の一定間隔毎の縦基準線と横基準線との交点の位置を基準として、上下左右のいずれか１つの方向（すなわち、４つの方向の中の１つの方向）へ少しずれた位置に印刷される。そして、各座標パターン３２における３６個のドット３１のずれ方向の組合せは、複数の座標パターン３２の中で唯一なものとされる。紙面に印刷される複数のドット３１の中から任意の６×６個のドット３１を選んだとき、その３６個のドット３１によるドット３１のずれ方向の組合せは、他のすべての３６個のドット３１によるドット３１のずれ方向の組合せと異なるものとなる。ドット３１同士の間隔が０．３ミリメートルである場合、この３６個のドット３１のずれ方向の組合せにより、約６，０００万平方キロメートルの紙面中の位置を０．３ミリメートルの精度で区別することができる。
【００２７】
図２に示すように、電子ペン５の赤外線ＬＥＤ１３は、ボールペン軸１２の先端およびその周囲へ赤外線を照射する。ＣＭＯＳセンサ１４は、紙面のペン先が接触する部位およびその周囲の部位により反射される赤外線を受光する。ＣＭＯＳセンサ１４は、受光した赤外線の強度分布データを、マイクロコンピュータ１９へ出力する。
【００２８】
マイクロコンピュータ１９には、図示外のプログラムを図示外のＣＰＵ（Ｃｅｎｔｒａｌ  Ｐｒｏｃｅｓｓｉｎｇ  Ｕｎｉｔ）が実行することで、読取データ生成部２１と、読取データ送信部２２と、が実現される。読取データ生成部２１は、ＣＭＯＳセンサ１４から供給される赤外線画像（赤外線の強度分布パターンを有する画像）に含まれる６×６のドット３１の像を特定し、その特定した６×６のドット３１の組合せに１対１に対応する座標値、すなわち読み取った座標パターン３２に１対１に対応する座標値を演算する。読取データ生成部２１は、演算した座標値と、筆圧センサ１５により検出される筆圧値（ボールペン軸１２に作用するそのときの筆圧値）と、タイマ１６により計測されるそのときの時刻とを、不揮発性メモリ１７へ供給する。
【００２９】
図４は、不揮発性メモリ１７に記憶される読取データ２６のデータ構造を示す説明図である。図４において、各行は、読取データ２６の１つのレコードに対応する。不揮発性メモリ１７は、読取データ生成部２１から上述した３つの値のデータが供給されると、それらを１つのレコードとして読取データ２６に格納する。読取データ２６の各レコードは、電子ペン５が読み取った座標パターン３２に対応する座標値を有する読取座標データ４１と、筆圧センサ１５により検出されたそのときの筆圧値を有するペン圧レベルデータ４２と、タイマ１６によるそのときの計測時刻を有する読取時刻データ４３と、を有する。なお、図４の読取データ２６は２つのチェックマークの筆跡データからなり、且つ、各チェックマークの筆跡データは複数のレコードからなる。
【００３０】
読取データ送信部２２は、ＵＳＢ（Ｕｎｉｖｅｒｓａｌ  Ｓｅｒｉａｌ  Ｂｕｓ）ケーブル６により、電子ペン５のＵＳＢＩ／Ｆ（Ｉｎｔｅｒｆａｃｅ）１８と、他の機器（図１では、店舗コンピュータ装置７）の後述するＵＳＢＩ／Ｆとが接続されると、不揮発性メモリ１７に記憶される読取データ２６を、他の機器へ送信する。なお、電子ペン５や店舗コンピュータ装置７は、ＵＳＢＩ／Ｆ１８の代わりに、たとえばブルートゥースなどの無線通信Ｉ／Ｆを備えるものであってもよい。この変形例の場合、読取データ送信部２２は、無線通信Ｉ／Ｆ同士が互いを認識すると、不揮発性メモリ１７に記憶される読取データ２６を、他の機器へ送信すればよい。
【００３１】
図１には、３枚の観光ガイドチラシ２，３，４が図示されている。この３枚の観光ガイドチラシ２，３，４には、その紙面全面に、上述したドット３１、すなわち座標パターン３２が印刷される。また、図１左側の観光ガイドチラシ２（以下、チラシＡ（２）とよぶ。）の紙面の中央部には、座標パターン３２と重ねて、観光地や店舗などを特典付きで紹介する記事１から記事５の５つの記事が印刷され、且つ、紙面左上の欄外に、所定のマークとしての所定の識別マーク３６が印刷されている。図１真中の観光ガイドチラシ３（以下、チラシＢ（３）とよぶ。）の紙面の中央部には、座標パターン３２と重ねて、観光地や店舗などを特典付きで紹介する記事６および記事７の２つの記事が印刷され、且つ、紙面右下の欄外に、所定の識別マーク３６が印刷されている。図１右側の観光ガイドチラシ４（以下、チラシＣ（４）とよぶ。）の紙面の中央部には、座標パターン３２と重ねて、観光地や店舗などを特典付きで紹介する記事８から記事１０の３つの記事が印刷され、且つ、紙面右下の欄外に、所定の識別マーク３６が印刷されている。
【００３２】
このように各観光ガイドチラシ２，３，４において、識別マーク３６は、それぞれの複数の記事とは別の紙面領域に印刷される。なお、チラシＡ（２）での識別マーク３６の印刷レイアウトと、チラシＢ（３）およびチラシＣ（４）での識別マーク３６の印刷レイアウトとは異なる。この識別マーク３６のレイアウトの違いは、たとえばチラシＡ（２）の発行元と、チラシＢ（３）およびチラシＣ（４）の発行元とが異なる場合などにおいて生じ得る。
【００３３】
図５は、図２の電子ペン５が座標値へ変換可能な座標パターン３２の座標値の範囲を示す座標平面（以下、座標値平面とよぶ。）５１を示す図である。図５において、横方向は、座標値平面５１のＸ方向であり、縦方向は、座標値平面５１のＹ方向である。そして、チラシＡ（２）には、座標値平面５１の上部中央の座標値が得られる座標パターン３２が印刷される。チラシＢ（３）には、座標値平面５１の上部中央左寄りの座標値が得られる座標パターン３２が印刷される。チラシＣ（４）には、座標値平面５１の上部右寄りの座標値が得られる座標パターン３２が印刷される。
【００３４】
チラシＡ（２）に対応する座標値の範囲と、チラシＢ（３）に対応する座標値の範囲とは、座標値平面５１において、重なっている。チラシＡ（２）、チラシＢ（３）およびチラシＣ（４）は、たとえば別々のチラシ印刷会社により作成されるものである。そのため、チラシＡ（２）の座標値の範囲と、チラシＢ（３）の座標値の範囲と、チラシＣ（４）の座標値の範囲とは、互いの範囲が重ならないように管理されていない。独立した別々の範囲となるように整理されていない。
【００３５】
また、チラシＡ（２）の記事１から記事５に掲載される観光地や店舗と、チラシＢ（３）の記事６および記事７に掲載される観光地や店舗と、チラシＣ（４）の記事８から記事１０に掲載される観光地や店舗とは、同じ観光地や店舗を紹介する場合もあるし、別々の観光地や店舗を紹介する場合もある。すなわち、チラシＡ（２）の掲載記事と、チラシＢ（３）の掲載記事と、チラシＣ（４）の掲載記事との間に、制限はない。以下の説明では、たとえば、図１中の店舗コンピュータ装置７が設置される観光地あるいは店舗の記事が、チラシＡ（２）の記事３と、チラシＢ（３）の記事６とに形成されている場合を例に説明する。
【００３６】
たとえば、ユーザは、チラシＡ（２）の記事３による特典を受けようとする場合、まず、チラシＡ（２）の左上の識別マーク３６を電子ペン５によりチェックし、チラシＡ（２）の記事３の掲載紙面を電子ペン５によりチェックする。これにより、電子ペン５の不揮発性メモリ１７には、図４に示す２つのチェックマークからなる読取データ２６が記憶される。
【００３７】
図６は、図１中の店舗コンピュータ装置７の構成を示すブロック図である。店舗コンピュータ装置７は、ＵＳＢＩ／Ｆ６１、ＨＤＤ（ハードディスクドライブ）６２、入力手段としてのキーデバイス６３、表示手段としての液晶デバイス６４、マイクロコンピュータ６５などを有する。店舗コンピュータ装置７のマイクロコンピュータ６５は、図示外のＣＰＵ、入出力ポートなどを有する。入出力ポートには、ＨＤＤ６２、キーデバイス６３、液晶デバイス６４、ＵＳＢＩ／Ｆ６１などが接続される。ＣＰＵは、ＨＤＤ６２などから図示外の制御プログラムを読み込んで実行する。これにより、店舗コンピュータ装置７のマイクロコンピュータ６５には、読取データ受信部７０と、絞込手段および抽出手段としての読取データ処理部７１と、ＵＩ（Ｕｓｅｒ  Ｉｎｔｅｒｆａｃｅ）部７２と、が実現される。
【００３８】
なお、この店舗コンピュータ装置７のマイクロコンピュータ６５が実行する制御プログラムは、店舗コンピュータ装置７の出荷前にＨＤＤ６２などに記憶されたものであっても、店舗コンピュータ装置７の出荷後にＨＤＤ６２などに記憶されたものであってもよい。また、制御プログラムの一部が、店舗コンピュータ装置７の出荷後にＨＤＤ６２などに記憶されたものであってもよい。店舗コンピュータ装置７の出荷後にＨＤＤ６２などに記憶される制御プログラムは、たとえばＣＤ−ＲＯＭなどのコンピュータ読取可能な記録媒体に記憶されているものをインストールしたものであっても、インターネットなどの伝送媒体を介してダウンロードしたものをインストールしたものであってもよい。上述した電子ペン５のマイクロコンピュータ１９が実行するプログラムについても、同様である。
【００３９】
ＨＤＤ６２は、データベースとしての座標クーポン対応データベース６６、出力データ６７、受信読取データ６８などを記憶する。受信読取データ６８は、店舗コンピュータ装置７のＵＳＢＩ／Ｆ６１に電子ペン５のＵＳＢＩ／Ｆ１８が接続されることで、読取データ受信部７０が電子ペン５から受信した読取データ２６である。受信読取データ６８の内容は、図４の電子ペン５が生成する読取データ２６の内容と同じである。
【００４０】
図７は、図６中の座標クーポン対応データベース６６のデータ構造の説明図である。座標クーポン対応データベース６６は、図１中の複数の観光ガイドチラシ２，３，４に掲載される複数の記事（記事１から記事１０）それぞれと１対１に対応する複数のレコードを有する。図７では、各行が１つのレコードに対応する。各レコードは、関連データとしてのクーポン表示データ８１を有する。クーポン表示データ８１は、液晶デバイス６４にたとえば「コーヒーサービス」、「１０％割引優待」などの優待情報を表示するためのデータである。
【００４１】
上述したようにこの実施の形態では、チラシＡ（２）の記事３とチラシＢ（３）の記事６とには、同じ観光地あるいは店舗の記事が掲載されており、座標クーポン対応データベース６６には、これらの対応するクーポン表示データが格納されている。一般に、同じ観光地あるいは店舗についてのクーポン表示データ８１は、同じ優待情報を表示するものであっても、異なる優待情報を表示するものであってもよいが、図７では、異なる優待情報となっている。
【００４２】
この他にも、座標クーポン対応データベース６６の各レコードは、クーポン表示データ８１が利用される観光地あるいは店舗の記事と重ねて印刷される座標パターン３２の座標値の範囲を示す記事エリア情報８２を有する。記事エリア情報８２は、たとえば対応する記事の左上の座標値と右下の座標値とで構成される。各観光ガイドチラシ２，３，４において、複数の記事は、別々の紙面領域に印刷されている。したがって、記事エリア情報８２による座標値の範囲は、各観光ガイドチラシ２，３，４において互いに重ならない範囲となる。
【００４３】
さらに、座標クーポン対応データベース６６の各レコードには、観光ガイドチラシ２，３，４毎に共通する所定のシート識別情報８３が登録される。シート識別情報８３は、具体的にはたとえば、各観光ガイドチラシ２，３，４に印刷される識別マーク３６と重なる座標パターン３２の座標値の範囲を示すデータ（たとえば識別マーク３６の左上の座標値と右下の座標値とで構成されるデータ）を有する。なお、このシート識別情報８３は、レコード毎に登録されるのではなく、観光ガイドチラシ２，３，４毎に共通するデータとして、座標クーポン対応データベース６６に登録されていてもよい。
【００４４】
店舗コンピュータ装置７に実現される読取データ処理部７１は、ＨＤＤ６２に記憶される受信読取データ６８を処理する。具体的には、読取データ処理部７１は、受信読取データ６８に基づいて、座標クーポン対応データベース６６から、電子ペン５により読み取られた記事に対応するクーポン表示データ８１を抽出する。読取データ処理部７１は、抽出したクーポン表示データ８１などを、出力データ６７としてＨＤＤ６２に記憶させる。
【００４５】
ＵＩ部７２は、ＨＤＤ６２に記憶される出力データ６７を読み込み、この出力データ６７による画面を、液晶デバイス６４に表示させる。
【００４６】
次に、以上の構成を有する電子優待システム１の動作を説明する。以下の説明では、電子ペン５によりたとえばチラシＡ（２）の識別マーク３６および記事３をチェックし、この記事３に対応する優待情報を、店舗コンピュータ装置７の液晶デバイス６４に表示する場合を例として動作を説明する。
【００４７】
電子ペン５によりたとえばチラシＡ（２）の識別マーク３６および記事３をチェックすると、電子ペン５の読取データ生成部２１は、それらチェックによる筆跡データを有する読取データ２６を、不揮発性メモリ１７に記憶させる。これにより、不揮発性メモリ１７には、図４に示すような読取データ２６が記憶される。
【００４８】
その後、ＵＳＢケーブル６により電子ペン５のＵＳＢＩ／Ｆ１８と店舗コンピュータ装置７のＵＳＢＩ／Ｆ６１とが接続されると、電子ペン５の読取データ送信部２２は、不揮発性メモリ１７に記憶されている読取データ２６を、店舗コンピュータ装置７の読取データ受信部７０へ送信する。読取データ受信部７０は、受信した読取データ２６を、受信読取データ６８としてＨＤＤ６２に記憶させる。
【００４９】
図８は、店舗コンピュータ装置７の読取データ処理部７１の動作の流れを示すフローチャートである。読取データ処理部７１は、まず、ＨＤＤ６２に未処理の新たな受信読取データ６８が記憶されているか否かを判断する（ステップＳＴ１）。そして、ＨＤＤ６２に未処理の新たな受信読取データ６８が記憶されていない場合、読取データ処理部７１は、このステップＳＴ１の判断処理を繰り返し実行する。読取データ処理部７１は、未処理の受信読取データ６８待ち状態となる。
【００５０】
ＨＤＤ６２に未処理の新たな受信読取データ６８が記憶されている場合、読取データ処理部７１は、電子ペン５により指定された記事に対応するクーポン表示データ８１の抽出処理を開始する。読取データ処理部７１は、まず、未処理の受信読取データ６８の最初の筆跡データを読み込む（ステップＳＴ２）。
【００５１】
ところで、受信読取データ６８を一筆で書かれた筆跡データ単位でくぎって読込む方法としては、データ同士の時間間隔を利用する方法がある。すなわち、電子ペン５によってたとえば識別マーク３６がチェックされてから、記事がチェックされるまでには、たとえば０．５秒から１秒程度の間隔が生じる。したがって、読取時刻データ４３を参照して、データ同士の間隔が０．５秒（または１秒）以下である場合には、一筆の筆跡データに含まれると判断し、それ以上である場合には他の一筆の筆跡データであると判断する。このような方法により、読取データ処理部７１は、一筆単位で筆跡データを読み取ることができる。
【００５２】
１つの筆跡データを読み込むと、読取データ処理部７１は、読み込んだすべての座標値の平均値を演算する（ステップＳＴ３）。読取データ処理部７１は、１つの座標値を得る。この他にもたとえば、読取データ処理部７１は、チェックマークにおける折り返し位置の座標値などを２つの線分の交点の座標値として得るようにしてもよい。
【００５３】
書込み位置を特定するための代表値としての１つの座標値（以下、代表座標値と呼ぶ。）を演算により得た後、読取データ処理部７１は、その筆跡データにより指定されるものが識別マーク３６であるのか、記事であるのかを判断する。読取データ処理部７１は、筆跡データの種類を判断する（ステップＳＴ４）。
【００５４】
具体的にはたとえば、読取データ処理部７１は、観光ガイドチラシ２，３，４の中の１つに印刷された識別マーク３６の座標値の範囲と、代表座標値とが重なるものであるか否かを判断する。すなわち、読取データ処理部７１は、図７の座標クーポン対応データベース６６の左端列（シート識別情報８３）の複数の座標値の範囲と、代表座標値とを比較する。
【００５５】
シート識別情報８３中に、代表座標値を含む座標値の範囲が１つでもある場合、読取データ処理部７１は、その筆跡データにより指定されるものが識別マーク３６であると判断する。読取データ処理部７１は、座標クーポン対応データベース６６の中の抽出範囲を、その座標値の範囲のシート識別情報８３を有するレコードの範囲に限定する（ステップＳＴ５）。これにより、座標クーポン対応データベース６６の中の抽出範囲は、電子ペン５より読み取られた識別マーク３６が付された観光ガイドチラシ（たとえばチラシＡ（２））に限定される。
【００５６】
シート識別情報８３中に、代表座標値を含む座標値の範囲が１つも無い場合、読取データ処理部７１は、その筆跡データにより指定されるものが記事であると判断する。読取データ処理部７１は、座標クーポン対応データベース６６の記事エリア情報８２中に、その代表座標値を含む座標値の範囲を有するレコードが存在するか否かを判断する。そして、記事エリア情報８２中に、その代表座標値を含む座標値の範囲を有するレコードが存在する場合、読取データ処理部７１は、そのレコードを特定する（ステップＳＴ６）。
【００５７】
以上の、未処理の受信読取データ６８から読み込んだ１つ分の筆跡データに基づく一連の処理が終了すると、読取データ処理部７１は、未処理の受信読取データ６８から、すべての筆跡データを読み込んだか否かを判断する（ステップＳＴ７）。
【００５８】
すべての筆跡データを読み込んでいない場合、読取データ処理部７１は、未処理の受信読取データ６８から、次の１つ分の筆跡データを読み込み、代表座標値に基づく抽出範囲絞込処理あるいはレコード特定処理を実行する。読取データ処理部７１は、受信読取データ６８に含まれる各筆跡データを１筆単位で読み込み、ステップＳＴ２からＳＴ７までの処理を繰り返し実行する。
【００５９】
上述した図４の読取データ２６の場合、読取データ処理部７１は、ステップＳＴ２からＳＴ７までの処理を２回繰り返す。これにより、読取データ処理部７１は、図４の最初の筆跡データにより、図７の座標クーポン対応データベース６６の抽出範囲をチラシＡ（２）に絞込み、図４の２つ目の筆跡データにより、チラシＡ（２）の上から三番目のレコードとチラシＢ（３）の上から一番目のレコードとを特定することになる。
【００６０】
未処理の受信読取データ６８から、すべての筆跡データを読み込み終えると、読取データ処理部７１は、ステップＳＴ７においてＹｅｓと判断する。読取データ処理部７１は、次に、有効なクーポン表示データ８１を抽出できたか否かを判断する（ステップＳＴ８）。読取データ処理部７１は、絞り込んだ抽出範囲中のレコードを特定している場合、有効なクーポン表示データ８１を抽出できたと判断する。読取データ処理部７１は、その絞り込んだ抽出範囲中の特定レコードのクーポン表示データ８１を読み込み、出力データ６７としてＨＤＤ６２に記憶させる（ステップＳＴ９）。
【００６１】
上述したように、抽出範囲をチラシＡ（２）に絞り込み、且つ、チラシＡ（２）の上から三番目のレコードを特定している場合、チラシＡ（２）の上から三番目のレコードが、有効なクーポン表示データ８１となる。読取データ処理部７１は、図７の座標クーポン対応データベース６６中の、そのチラシＡ（２）の上から三番目のレコードのクーポン表示データ８１を読み込み、出力データ６７としてＨＤＤ６２に記憶させる。
【００６２】
また、たとえば絞り込んだ抽出範囲中に特定レコードが含まれないなどのケースのように、有効なクーポン表示データ８１を抽出できなかった場合、読取データ処理部７１は、「クーポンデータ無し」を表示させるための表示データを、出力データ６７としてＨＤＤ６２に記憶させる（ステップＳＴ１０）。
【００６３】
以上の一連の処理により、読取データ処理部７１は、受信読取データ６８に基づくクーポン表示データ８１の抽出処理を終了する。この終了時には、ＨＤＤ６２に、出力データ６７が記憶される。出力データ６７には、電子ペン５により指定された記事に対応するクーポン表示データ８１、あるいは、「クーポンデータ無し」を表示させるための表示データが格納されている。
【００６４】
なお、チラシ２，３，４を電子ペン５により読み取るにあたって、ユーザは、まず記事をチェックし、その後にそのシートの識別マーク３６をチェックするようにしてもよい。この場合、電子ペン５に生成記憶される読取データ２６では、まず、記事をチェックしたときの筆跡データが格納され、次に識別マーク３６をチェックしたときの筆跡データが格納される。この場合であっても、読取データ処理部７１は、図８の処理により、先に同じ識別マーク３６をチェックし、その後に同じ記事をチェックした場合と同じクーポン表示データ８１を抽出することができる。
【００６５】
ＨＤＤ６２に出力データ６７が記憶されると、ＵＩ部７２は、その出力データ６７を読み込む。ＵＩ部７２は、読み込んだ出力データ６７に基づく画像を、液晶デバイス６４に表示させる。これにより、液晶デバイス６４には、電子ペン５により指定された記事に対応するクーポン表示データ８１による優待情報、あるいは、「クーポンデータ無し」が表示される。
【００６６】
上述したように、ＨＤＤ６２に、出力データ６７として、図７の座標クーポン対応データベース６６中の、そのチラシＡ（２）の上から三番目のレコードのクーポン表示データ８１が記憶されている場合、ＵＩ部７２は、その三番目のレコードのクーポン表示データ８１による画像を、液晶デバイス６４に表示させる。これにより、店舗コンピュータ装置７の液晶デバイス６４には、電子ペン５によりチェックされたチラシＡ（２）の記事３に対応する優待情報が表示される。すなわち、液晶デバイス６４には、「１０％割引優待」の文字が表示され、チラシＢの記事６に対応する「２０％割引優待」の文字は表示されない。
【００６７】
以上のように、この実施の形態では、電子ペン５は、観光ガイドチラシ２，３，４に印刷される所定の識別マーク３６を読み取り、さらにユーザが望む所定の記事を読み取る。店舗コンピュータ装置７の読取データ処理部７１は、所定の識別マーク３６を読み取ることで電子ペン５が生成する座標値を用いて、座標クーポン対応付けデータベース６６における抽出範囲をその所定の識別マーク３６が印刷された観光ガイドチラシ（上記例ではチラシＡ（２））に絞り込む。また、読取データ処理部７１は、記事を読み取ることで電子ペン５が生成する座標値を用いて、座標クーポン対応付けデータベース６６中において、その座標値に対応するレコードを特定する。読取データ処理部７１は、抽出範囲内で特定したレコードのクーポン表示データ８１を抽出する。液晶デバイス６４は、クーポン表示データ８１に基づく優待内容を示す画像を表示する。
【００６８】
したがって、この実施の形態１の電子優待システム１は、座標パターン３２が印刷される複数の観光ガイドチラシ２，３，４の中から、電子ペン５により読み取られたチラシ（上記例ではチラシＡ（２））を特定するとともに、その特定したチラシの中の、電子ペン５により読み取られた記事（上記例では記事３）を特定することができる。電子優待システム１は、電子ペン５が生成する座標値により、１つの記事に関連するクーポン表示データ８１を抽出することができる。
【００６９】
図５に示すように、複数の観光ガイドチラシ２，３，４の間で、座標値の付与範囲が管理整理されておらず、その結果として、座標パターン３２の座標値の範囲が互いに重なっている場合であっても、座標クーポン対応付けデータベース６６から、電子ペン５により読み取られたチラシの、読み取られた記事に対応するクーポン表示データ８１を抽出することができる。座標値（座標パターン３２）の付与範囲が管理されておらず、その結果として、複数の観光ガイドチラシ２，３，４において（上記例では、観光ガイドチラシＡ（２）と観光ガイドチラシＢ（３）とにおいて）、電子ペン５によりチラシを読み取ることで得られる座標値が同じ値となることがあったとしても、電子ペン５が生成する座標値によりそれらのチラシを区別することができる。電子ペン５は、複数のチラシの記事を一意に特定するために利用することができる。
【００７０】
また、この実施の形態では、読取データ処理部７１は、座標クーポン対応付けデータベース６６から抽出範囲内でレコードを特定することができない場合、クーポン表示データを抽出することができないことを通知するためのメッセージの表示データを出力データ６７としてＨＤＤ６２に記憶させる。したがって、たとえば観光ガイドチラシ２，３，４以外の観光ガイドチラシがあり、ユーザが誤ってその観光ガイドチラシを読み取った電子ペン５を持ち込んだとしても、そのチラシのクーポン表示データを表示しないようにすることができる。特に、たとえば各観光地や店舗に設置される店舗コンピュータ装置７に、その店舗に関する記事のクーポン表示データ８１のみを記憶させるようにすることで、店舗コンピュータ装置７は、その観光地や店舗に関係ない優待情報を表示してしまわないようにすることができる。また、この変形例の場合、各店舗コンピュータ装置７における座標クーポン対応付けデータベース６６のデータ量を削減し、検索負荷を軽減することができる。
【００７１】
また、この実施の形態では、座標クーポン対応付けデータベース６６は、記事毎のレコードを有する。この記事毎のレコードには、クーポン表示データ８１が格納される。クーポン表示データ８１の内容が記事毎に異なる場合、店舗コンピュータ装置７には、ユーザが電子ペン５に読み取らせた記事毎に異なる優待内容が表示される。したがって、店舗コンピュータ装置７が設置される店舗の経営者は、記事を掲載するチラシ毎に異なる優待サービスを提供することができる。経営者は、複数のチラシの発行元に対して別々に、異なる優待内容の記事の掲載を依頼することができる。
【００７２】
その結果、観光ガイドチラシ２，３，４を電子ペン５により読み取って持参したユーザは、読み取った記事に掲載される観光地や店舗において優待サービスを受けることができる。ユーザは、観光ガイドチラシ２，３，４そのものを持参したり、観光ガイドチラシ２，３，４の記事に印刷されるクーポン券を切り取ったり、そのクーポン券を紛失してしまうことなく、観光ガイドチラシ２，３，４に掲載される観光地や店舗において優待サービスを受けることができる。
【００７３】
また、観光ガイドチラシ２，３，４には、識別マーク３６が印刷されるだけである。識別マーク３６は、複数の観光ガイドチラシ２，３，４を区別するためのものである。そのため、識別マーク３６は、複数の観光ガイドチラシ２，３，４のどこに印刷するようにしてもよい。この実施の形態では、識別マーク３６は、記事が掲載される範囲外に印刷されている。これに対して、この実施の形態とは異なり、仮にたとえば携帯電話端末で読み取り可能なＱＲコードなどによりクーポン表示データを提供する場合には、記事との対応関係を明示するために、各記事に対応付けてそれぞれのＱＲコードを印刷しなければならない。そのため、ＱＲコードによりクーポン表示データを提供する場合、クーポン表示データを提供することが紙面のレイアウトを制限したり、紙面の見栄えを損なうことになってしまったりすることになる。そして、この実施の形態では、そのような問題を生じてしまうことはない。
【００７４】
なお、この実施の形態の動作説明では、電子ペン５により、チラシＡ（２）の識別マーク３６をチェックし、チラシＡ（２）の記事３をチェックした場合の動作を説明している。この他にもたとえば、電子ペン５により、チラシＡ（２）の識別マーク３６をチェックし、チラシＡ（２）の記事３と記事１とをチェックするようにしてもよい。この場合、その電子ペン５を、記事１に掲載される店舗に持参し、その店舗の店舗コンピュータ装置７に接続することで、ユーザは、その店舗の優待サービスも併せて受けることができる。つまり、ユーザは、１回のチェック操作で、複数の店舗において優待サービスを受けることができる。店舗毎にばらばらに切り取った小さいクーポン券を、無くさないように気をつけて持ち歩く必要は無い。
【００７５】
また、電子ペン５により、複数枚の観光ガイドチラシ（たとえばチラシＡ（２）とチラシＢ（３）と）をチェックするようにしてもよい。複数枚の観光ガイドチラシをチェックする場合、ユーザは、電子ペン５により、チラシ毎に、識別マーク３６と所定の記事とをチェックするようにすればよい。
【００７６】
以上の実施の形態は、本発明の好適な実施の形態の例であるが、本発明は、これに限定されるものではなく、発明の要旨を逸脱しない範囲において種々の変形や変更が可能である。
【００７７】
上記実施の形態では、電子ペン５は、座標パターン３２が印刷された複数枚の観光ガイドチラシ２，３，４を読み取っている。この他にもたとえば、電子ペン５は、スーパーやデパートなどの店舗の複数枚のチラシや、観光情報誌、ガイド雑誌、電子機器などのマニュアルなどの複数ページからなる印刷物を読み取るようにしてもよい。このように複数ページからなる印刷物において、識別マーク３６は、各ページ毎あるいは所定のページ数毎に設けられていても良いが、印刷物毎に１つ設けられていてもよい。識別マーク３６は、たとえば印刷物の表紙や目次に印刷すればよい。
【００７８】
複数ページからなる印刷物に１つの識別マーク３６を設ける場合、その印刷物の複数のページは、たとえばその複数ページを１枚に繋ぎ合わせた巨大なシートを想定し、その巨大なシートを図５の座標値平面に対応付け、その対応付けに基づく座標パターン３２を各ページに印刷するようにすればよい。これにより、座標パターン３２により、読み取られたページと、そのページ内の読取位置とを特定することができる。
【００７９】
また、各印刷物において識別マーク３６は、１つに限られない。各印刷物に複数の識別マーク３６を印刷するようにしてもよい。
【００８０】
上記実施の形態では、図５に示すように各観光ガイドチラシ２，３，４には、その全面に、連続的な座標値へ変換可能な複数の座標パターン３２が印刷されている。各観光ガイドチラシ２，３，４において、識別マーク３６と重ねて印刷される座標パターン３２と、記事と重ねて印刷される座標パターン３２とは近い値の座標値へ変換される。この他にもたとえば、識別マーク３６と重ねて印刷される座標パターン３２と、記事と重ねて印刷される座標パターン３２とは、図５の座標値平面において不連続となる別々の座標値の範囲に対応するものであってもよい。さらに他にもたとえば、識別マーク３６と重ねて印刷されるパターンとしては、記事と重ねて印刷される座標パターン３２とは異なる種類のパターンであってもよい。この座標パターン３２とは異なる種類のパターンとしては、たとえばシート毎に発行されるシート識別番号などへ変換される識別パターンであればよい。
【００８１】
上記実施の形態では、座標クーポン対応付けデータベース６６は、店舗コンピュータ装置７のＨＤＤ６２に記憶されている。この他にもたとえば、座標クーポン対応付けデータベース６６は、店舗コンピュータ装置７が通信可能な他のコンピュータ装置、たとえばインターネット上のサーバ装置などに記憶されていてもよい。また、座標クーポン対応付けデータベース６６の一部の対応付けのデータが、店舗コンピュータ装置７や、店舗コンピュータ装置７が通信可能な他のコンピュータ装置に分散して記憶されていてもよい。他のコンピュータ装置に必要なデータが格納されている場合、店舗コンピュータ装置７の読取データ処理部７１は、他のコンピュータ装置から座標クーポン対応付けデータベース６６を取得した上で抽出処理を実行するようにしても、他のコンピュータ装置に対して抽出処理を要求するようにしてもよい。
【００８２】
上記実施の形態では、座標クーポン対応付けデータベース６６に、クーポン表示データ８１が記憶される。この他にもたとえば、座標クーポン対応付けデータベース６６に、クーポン印刷データなどを記憶するようにしてもよい。読取データ処理部７１は、出力データ６７として、クーポン印刷データを抽出する。このとき、ＵＩ部７２は、図示外のプリンタ装置を用いて、このクーポン印刷データを印刷すればよい。
【００８３】
上記実施の形態では、読取データ処理部７１は、店舗コンピュータ装置７に実現されている。この他にもたとえば、読取データ処理部７１は、パーソナルコンピュータ、携帯電話端末、ナビゲーション装置、ＡＶ（オーディオビジュアル）機器などにおいて実現されていてもよい。これらの装置では、座標値と記事対応データとを対応付けるデータベースには、記事対応データとして、クーポン表示データの代わりに、装置の各種の設定データや、インターネット上のＵＲＬ（Ｕｎｉｆｏｒｍ  Ｒｅｓｏｕｒｃｅ  Ｌｏｃａｔｏｒ）データなどを格納すればよい。
【００８４】
特に、データベースに、たとえばサーバ装置において記事に掲載される楽曲や映画などのコンテンツデータに対応付けられたＵＲＬデータを格納することで、楽曲や映画のプロモーション映像を手軽に視聴させることができる。また、データベースに、たとえば記事掲載地点の緯度経度データの値を、設定データとして格納することで、ナビゲーション装置に目的地などの地点を設定することができる。
【００８５】
さらに他にもたとえば、読取データ処理部７１は、電子ペン５に実現されていてもよい。また、座標クーポン対応付けデータベース６６、液晶デバイス６４、キーデバイス６３、ＵＩ部７２なども、電子ペン５に設けられるようにしてもよい。これにより、観光ガイドチラシ２，３，４に記事を掲載する店舗などに、店舗コンピュータ装置７を設置しなくてもよい。ユーザは、店舗において電子ペン５に優待内容を表示させ、その優待を受けることができる。
【００８６】
図９および図１０は、液晶デバイス９１、キーデバイス９２などを有する変形例の携帯入力装置としての電子ペン８の外観図である。この変形例の電子ペン８の、ペン形状のハウジング１１の側面には、表示手段としての液晶デバイス９１と、入力手段としてのキーデバイス９２とが配設される。図９の液晶デバイス９１には、ＵＩ部により、読取データ処理部７１により生成されて不揮発性メモリ１７に記憶されている出力データ６７の内容が表示される。図１０の液晶デバイス９１には、ＵＩ部により、読取データ生成部２１により生成されて不揮発性メモリ１７に記憶されている読取データ２６のファイル名が生成時刻とともに表示される。これにより、ユーザは、電子優待データが正しく読み取られたか否かを、店舗に行く前に確認することができる。
【００８７】
また、液晶デバイス９１に読取データ２６に関する情報や出力データ６７の情報が表示されている状態で、キーデバイス９２が操作されると、この変形例の電子ペン８のＵＩ部は、表示している読取データ２６や出力データ６７を、不揮発性メモリ１７から削除する。これにより、ユーザは、不要なデータや、誤りのデータを整理することができる。
【産業上の利用可能性】
【００８８】
本発明は、電子ペンなどの携帯入力装置を利用するユーザに対して、チラシなどに掲載する優待サービスを提供する電子優待システムなどにおいて好適に利用することができる。
【図面の簡単な説明】
【００８９】
【図１】図１は、本発明の実施の形態に係る印刷物関連データ抽出システムとしての、電子優待システムの構成図である。
【図２】図２は、図１中の電子ペンに内蔵される電子回路などを示すブロック図である。
【図３】図３は、図２の電子ペンにより書き込みがなされる観光ガイドチラシの紙面の部分拡大図である。
【図４】図４は、図２中の不揮発性メモリに記憶される読取データのデータ構造を示す説明図である。
【図５】図５は、図２の電子ペンが座標値へ変換可能な座標パターンの座標値平面を示す図である。
【図６】図６は、図１中の店舗コンピュータ装置の構成を示すブロック図である。
【図７】図７は、図６中の座標クーポン対応データベースのデータ構造の説明図である。
【図８】図８は、店舗コンピュータ装置の読取データ処理部の動作の流れを示すフローチャートである。
【図９】図９は、変形例の電子ペンに、クーポン表示データが表示されている状態を示す外観図である。
【図１０】図１０は、図９の変形例の電子ペンに、読取データのファイル情報が表示されている状態を示す外観図である。
【符号の説明】
【００９０】
１  電子優待システム（印刷物関連データ抽出システム）
２  観光ガイドチラシＡ（印刷物）
３  観光ガイドチラシＢ（印刷物）
４  観光ガイドチラシＣ（印刷物）
５，８  電子ペン（携帯入力装置）
３２  座標パターン
３６  識別マーク（所定のマーク）
６４，９１  液晶デバイス（表示手段）
６３，９２  キーデバイス（入力手段）
６６  座標クーポン対応付けデータベース（データベース）
６７  出力データ
７１  読取データ処理部（絞込手段、抽出手段）
８１  クーポン表示データ（関連データ）
８２  記事エリア情報（座標値の範囲）
【図１】
2008123284.tif 000003
【図２】
2008123284.tif 000004
【図３】
2008123284.tif 000005
【図４】
2008123284.tif 000006
【図５】
2008123284.tif 000007
【図６】
2008123284.tif 000008
【図７】
2008123284.tif 000009
【図８】
2008123284.tif 000010
【図９】
2008123284.tif 000011
【図１０】
2008123284.tif 000012